(57)【要約】【課題】浸入した水を筺体の外部に排出する排出孔からの水が、再度、筺体の内部に浸入するのを防止できる電気機器の筺体構造を提供する。【解決手段】機器本体１０および機器本体１０の少なくとも一部を覆う封止体２０を有する筺体Ｙと、封止体２０の封止側面に、筺体Ｙの内部に浸入した水を筺体Ｙの外部に排出する排出孔２５と、を設け、筺体Ｙを垂直に設置した設置姿勢としたとき、封止体２０の封止側面における少なくとも排出孔２５の下方に、封止側面に沿って、断面視で凹状に湾曲した湾曲部５０と、排出孔２５から排出された水を、湾曲部５０を経由して筺体Ｙの下方に導くように排出孔２５に亘って形成した排出孔リブ２５ａと、を備えた電気機器Ｘの筺体構造。【選択図】図１
2014086636.tif 000002
【特許請求の範囲】
【請求項１】
機器本体および当該機器本体の少なくとも一部を覆う封止体を有する筺体と、
前記封止体の側面に、前記筺体の内部に浸入した水を前記筺体の外部に排出する排出孔と、を設け、
前記筺体を垂直に設置した設置姿勢としたとき、
前記封止体の側面における少なくとも前記排出孔の下方に、前記側面に沿って、断面視で凹状に湾曲した湾曲部と、
前記排出孔から排出された水を、前記湾曲部を経由して前記筺体の下方に導くように前記排出孔に亘って形成した排出孔リブと、を備えた電気機器の筺体構造。
【請求項２】
前記設置姿勢における前記封止体の下面に前記湾曲部を形成し、この湾曲部に凹部を形成した請求項１に記載の電気機器の筺体構造。
【発明の詳細な説明】
【技術分野】
【０００１】
本発明は、壁面に設置される防災用又は防犯用の電気機器において、当該電気機器の内部空間に浸入した水を電気機器の外部に排出する水抜き構造を備えた筺体構造に関する。
【背景技術】
【０００２】
電気機器の一種として、壁面に設置される防災用又は防犯用の警報器がある。このような電気機器には、通常、当該警報器が水に晒された場合であってもその機能を維持する必要があるため、例えば当該警報器の内部に浸入した水を抜く水抜き構造が設けられる。
【０００３】
例えば当該水抜き構造として、特許文献１には、機器本体と、機器本体の少なくとも一部を覆う封止体との相互間に止水壁を設けたものが記載してある。当該止水壁は、具体的には機器本体に形成された立ち上げ部であり、当該立ち上げ部の周面に複数の止水リブが形成されている。複数の止水リブは、相互に所定間隔を隔てて配置されており、最初の止水リブによって浸入してきた水を堰き止めることができる。仮に最初の止水リブを越えて電気機器の内部空間側に水が浸入しようとする場合でも、次の止水リブで順次堰き止めることができる。
【０００４】
これら複数の止水リブは、電気機器の内部に入り込む水を外部に排水するための水抜き路の壁を形成している。このような水抜き路は、止水リブの数に応じて、一本あるいは複数本形成される。当該水抜き路は、電気機器を設置した姿勢において、機器本体の上部から側部、さらに下部に至るように、途切れることなく連続的に形成されている。従って、浸入してきた水が最初の止水リブで堰き止められると、最初の水抜き路を伝って機器本体の下部に至る。仮に浸入してきた水が最初の止水リブを乗り越えた場合でも、次の止水リブで堰き止められて次の水抜き路を伝って機器本体の下部に至る。このように水抜き路によって排水効果を高め、水が機器本体の内部空間側に浸入するのを防止できる。
【先行技術文献】
【特許文献】
【０００５】
【特許文献１】特開２００７−１０２５５５号公報
【発明の概要】
【発明が解決しようとする課題】
【０００６】
例えば筺体の側面に水抜き孔が形成されているような場合、当該水抜き孔から排出された水が、当該筺体の側面を伝わって筺体の下部に移動する間に、筺体に形成された隙間から、再度、該電気機器の内部に浸入してしまう虞があった。
【０００７】
特許文献１に記載の水抜き構造では、電気機器の内部に入り込んだ水を、水抜き路によって外部に排水していたが、一旦排出した水が、再度、当該電気機器の内部に浸入してしまうことを防止する構造ではない。
【０００８】
従って、本発明の目的は、浸入した水を筺体の外部に排出する排出孔からの水が、再度、筺体の内部に浸入するのを防止できる電気機器の筺体構造を提供することにある。
【課題を解決するための手段】
【０００９】
上記目的を達成するための本発明に係る電気機器の筺体構造の第一特徴構成は、機器本体および当該機器本体の少なくとも一部を覆う封止体を有する筺体と、前記封止体の側面に、前記筺体の内部に浸入した水を前記筺体の外部に排出する排出孔と、を設け、前記筺体を垂直に設置した設置姿勢としたとき、前記封止体の側面における少なくとも前記排出孔の下方に、前記側面に沿って、断面視で凹状に湾曲した湾曲部と、前記排出孔から排出された水を、前記湾曲部を経由して前記筺体の下方に導くように前記排出孔に亘って形成した排出孔リブと、を備えた点にある。
【００１０】
本構成によれば、断面視が凹状の湾曲部を、封止体の側面に沿って形成することで、通路状の凹みを当該側面に沿って形成することができる。このように、設置姿勢において、少なくとも排出孔の下方に当該湾曲部を設けているため、当該設置姿勢では、排出孔から排出された水が通路状の湾曲部を伝わるようになり、当該水を筺体の下方に導き易くなる。このとき、湾曲部は封止体の側面に形成されるため、排出孔から排出された水は、筺体の隙間（例えば機器本体と封止体との隙間）の側に向って流れ難くなる。従って、排出孔から排出された水は、再度、前記隙間から電気機器の内部に浸入し難くなる。
【００１１】
また、排出孔リブを排出孔に亘って備えることで、排出孔から排出しようとする水を、直ちに湾曲部に導き易くなり、それによって当該水を筺体の下方に確実に導くことができる。
【００１２】
本発明に係る電気機器の筺体構造の第二特徴構成は、前記設置姿勢における前記封止体の下面に前記湾曲部を形成し、この湾曲部に凹部を形成した点にある。
【００１３】
本構成によれば、例えば排出孔から排出された水が、封止体の側面に形成された湾曲部を経由して筺体の下方に導かれた場合、このような水が、封止体の下面に形成された湾曲部の凹部まで移動する。このとき、当該水は、凹部の端部に沿って移動し易くなり、当該端部において水滴が形成され易くなる。そして、ある程度の大きさの水滴に成長すると電気機器の下方に滴下する。このように、本構成では、排出孔から排出された水は、筺体の隙間の側に向って流れ難くなり、かつ、排出孔から排出された水を効率よく滴下させることができる。
【図面の簡単な説明】
【００１４】
【図１】電気機器の概要を示す斜視図である。
【図２】電気機器の分解斜視図である。
【図３】電気機器の断面概略図（図１のIII-III断面図）である。
【図４】電気機器の断面概略図（図１のＩＶ-ＩＶ断面図）である。
【図５】電気機器の断面概略図（図１のＶ-Ｖ断面図）である。
【発明を実施するための形態】
【００１５】
以下、本発明の実施形態を図面に基づいて説明する。
本発明は、機器本体および当該機器本体の少なくとも一部を覆う封止体によって形成された筺体を有する電気機器の防水構造である。
【００１６】
図１〜５に示したように、当該電気機器Ｘは、機器本体１０および当該機器本体１０の少なくとも一部を覆う封止体２０を有する筺体Ｙと、封止体２０の側面（封止側面）２１に、筺体Ｙの内部に浸入した水を筺体Ｙの外部に排出する排出孔２５と、を設けている。
また、電気機器Ｘの筺体Ｙを垂直に設置した設置姿勢としたとき、電気機器Ｘは、封止体２０の封止側面２１における少なくとも排出孔２５の下方に、封止側面２１に沿って、断面視で凹状に湾曲した湾曲部５０と、排出孔２５から排出された水を、湾曲部５０を経由して筺体Ｙの下方に導くように排出孔２５に亘って形成した排出孔リブ２５ａと、を備える。
【００１７】
電機機器Ｘは、屋内や屋外で壁面に設置する態様であればどのような機器であってもよい。当該壁面に設置する電機機器としては、例えば防災用又は防犯用の警報器が挙げられる。当該警報器は、その内部に外部環境の変化を検知する検知部３１を備える。当該検知部３１は外部環境の変化を検知するセンサであればよく、このようなセンサとして、酸素センサ、ＣＯセンサ、都市ガスセンサ、ＬＰガスセンサなどのガスセンサ、火災センサなどを使用することができるが、これに限られるものではない。
【００１８】
ガスセンサは、被検知ガスを検知するものであればどのような態様であってもよい。例えば酸素センサは酸素ガスを検出でき、ＣＯセンサは不完全燃焼で発生する一酸化炭素ガスを検出でき、都市ガスセンサやＬＰガスセンサは炭化水素ガス等の漏洩ガスを検出することができるものであれば、公知の半導体式センサ素子、接触燃焼式センサ素子および電気化学式センサ素子などが使用できる。
火災センサは、温度の上昇を感知する温度センサや、煙感知機能を有する公知の散乱光式煙センサなどが使用できる。
【００１９】
本実施形態では、警報器として、不完全燃焼を検出するため、ＣＯガスの漏洩を検知するガス警報器Ｘを浴室の壁面に設置する態様について説明する。当該ガス警報器Ｘの形状は特に限定されるものではないが、本実施形態では上面視で矩形状であり、厚板状（例えば１２×７×２．５ｃｍ）の形状を呈するものを例示する。この場合、当該ガス警報器Ｘは、例えばその長辺を地面に垂直に設置する縦置き姿勢（設置姿勢）によって設置することができる。
【００２０】
機器本体１０は基板部３０を収容しており、底面１１と側面１２とを一体に形成して構成されている。即ち、底面１１および側面１２とで囲まれた空間に基板部３０が収容される。側面１２の端部（封止体２０の側）には、封止体２０と重ね配置される本体周縁端部１２ａが形成してある。本体周縁端部１２ａには、ガス警報器Ｘの周縁に沿うように溝部Ｂが形成してある。また、本体周縁端部１２ａには、その全周に亘って複数の止水リブ１２ｂが形成されており、溝部Ｂは、隣接する止水リブ１２ｂどうしの間の空間で構成される。溝部Ｂおよび止水リブ１２ｂは、水の浸入方向に対して略直交する方向に設けられているため、止水リブ１２ｂによって浸入してきた水を堰き止めることができる。堰き止められた水は溝部Ｂを伝ってガス警報器Ｘの下方に流れ落ちて外部に排出することができる。
【００２１】
封止体２０は、機器本体１０の少なくとも一部を覆う部材である。本実施形態では、封止体２０は、機器本体１０の全体を覆う場合について説明する。
【００２２】
封止体２０には、スピーカ部３２が発した警報音を外部に放音するスピーカ開口部２４、被検知ガスを検知部３１に導入する被検知ガス導入口２６、および、スイッチ操作を行うスイッチ押圧部２７が形成してあり、封止体２０の裏面に形成した凹部には、導光部２８や電池２９が配設してある。
【００２３】
封止体２０の側面に、筺体Ｙの内部に浸入した水を筺体Ｙの外部に排出する排出孔２５が形成してある。本実施形態では、当該排出孔２５は、筺体Ｙの内部に浸入し、封止体２０の内面を伝わり、排出孔２５に達した水を筺体Ｙの外部の排出するための孔である。
【００２４】
尚、封止体２０の表面には封止板４０を貼り付けてある。当該封止板４０には、スピーカ開口部２４や被検知ガス導入口２６に対応するスピーカ開口部４４および被検知ガス導入口４６がそれぞれ形成してある。
【００２５】
基板部３０には、検知部３１、スピーカ部３２、ＬＥＤ３３およびスイッチ部３４などの部品が配設してある。本実施形態では、ＣＯガスを検知する検知部３１として、電気化学式ＣＯセンサを使用した場合について説明する。電気化学式ＣＯセンサとは、ＣＯガスを、隔膜を通して触媒作用を有する作用電極上に導き、ＣＯガスを酸化することによりガス濃度に応じた電圧または電流を出力するセンサである。スピーカ部３２は、検知部３１からの信号を受けて警報音を発するものであればどのような態様であってもよく、例えば圧電スピーカなどを使用することができる。ＬＥＤ３３が発した光は、導光部２８を介して外部に放出される。
【００２６】
検知部３１は、封止体２０から筺体Ｙの内部の側に向って立設した収容部２２に収容してある。当該収容部２２は、検知部３１である電気化学式ＣＯセンサを収容できる形態であればその形状は特に限定されるものではなく、本実施形態では、矩形状を呈する場合を例示する。収容部２２は、封止体２０の裏面から立設し、基板部３０によって収容部２２の矩形状の開口が塞がれる。
【００２７】
本発明の電気機器（ガス警報器）Ｘの筺体構造は、電気機器Ｘの筺体Ｙを垂直に設置した設置姿勢としたとき、ガス警報器Ｘは、封止体２０の封止側面２１における少なくとも排出孔２５の下方に、封止側面２１に沿って、断面視で凹状に湾曲した湾曲部５０を備える（図３〜５）。
【００２８】
本実施形態では、湾曲部５０を封止体２０の封止側面２１の全周に亘って形成した場合について説明する。当該湾曲部５０は、断面視で、筺体Ｙの内方に向って凹状に湾曲させる。当該湾曲部５０は、明確な溝状ではなく、ゆるやかな曲部で形成すると、封止側面２１にゴミなどが溜まり難くなる。このように、断面視が凹状の湾曲部５０を封止側面２１に沿って形成することで、通路状の凹みを封止側面２１に沿って形成することができる。
【００２９】
本構成では、設置姿勢において、少なくとも排出孔２５の下方に当該湾曲部５０を設けているため、当該設置姿勢では、排出孔２５から排出された水が通路状の湾曲部５０を伝わるようになり、当該水を筺体Ｙの下方に導き易くなる。このとき、湾曲部５０は封止側面２１に形成されるため、排出孔２５から排出された水は、筺体Ｙの隙間（例えば機器本体１０と封止体２０との隙間）の側に向って流れ難くなる。従って、排出孔２５から排出された水は、再度、前記隙間からガス警報器Ｘの内部に浸入し難くなる。
【００３０】
また、本発明のガス警報器Ｘの筺体構造は、排出孔２５から排出された水を、湾曲部５０を経由して筺体Ｙの下方に導くように排出孔２５に亘って形成した排出孔リブ２５ａを備える。当該排出孔リブ２５ａは、例えば設置姿勢において、排出孔２５の鉛直方向の幅の全長に亘って鉛直方向に設けるとよいが、排出孔２５から排出された水を、湾曲部５０を経由して筺体Ｙの下方に導くように配設してあれば、このような態様に限られるものではない。
【００３１】
このように排出孔リブ２５ａを排出孔２５に亘って備えることで、排出孔２５から排出しようとする水を、直ちに湾曲部５０に導き易くなり、それによって当該水を筺体Ｙの下方に確実に導くことができる。
【００３２】
本実施形態では、設置姿勢における封止体２０の下面に形成した湾曲部５０に凹部６０を形成してある。
【００３３】
このように封止体２０の下面に形成した湾曲部５０に凹部６０を形成することで、例えば排出孔２５から排出された水が筺体Ｙの下方に導かれた場合、このような水が凹部６０の端部６０ａに沿って移動し易くなり、当該端部６０ａにおいて水滴が形成され易くなる。そして、ある程度の大きさの水滴に成長するとガス警報機Ｘの下方に滴下する（図１）。このように、本構成では、排出孔２５から排出された水は筺体Ｙの隙間（例えば機器本体１０と封止体２０との隙間）の側に向って流れ難くなり、かつ、排出孔２５から排出された水を効率よく滴下させて、当該水が筺体Ｙに再浸入するのを確実に防止できる。
【産業上の利用可能性】
【００３４】
本発明は、壁面に設置される防災用又は防犯用の電気機器において、当該電気機器の内部空間に浸入した水を電気機器の外部に排出する水抜き構造を備えた筺体構造に利用できる。
【符号の説明】
【００３５】
Ｘ          電気機器
Ｙ          筺体
１０        機器本体
２０        封止体
２１        側面（封止側面）
２５        排出孔
５０        湾曲部
２５ａ      排出孔リブ
６０        凹部
【図１】
2014086636.tif 000003
【図２】
2014086636.tif 000004
【図３】
2014086636.tif 000005
【図４】
2014086636.tif 000006
【図５】
2014086636.tif 000007